(57)【要約】【課題】  シェード部材間の光漏れを確実に防止することができるサンシェード装置を提供することを課題とする。【解決手段】         車両に設けられたサンルーフ開口部に並んで設けられ、互いに進退自在にスライドする一対のシェード部材１１Ｌ，１１Ｒを有するサンシェード装置１であって、一方のシェード部材１１Ｒの端部に設けられる突起部１３と、他方のシェード部材１１Ｌの端部に設けられる溝部１４とを有し、一対のシェード部材１１Ｌ，１１Ｒが閉じ合った状態で、突起部１３が溝部１４に入り込むように構成した。【選択図】      図６
2006264353.tif 000002
【特許請求の範囲】
【請求項１】
車両のサンルーフ開口部に並んで設けられ、互いに進退自在にスライドする一対のシェード部材を有するサンシェード装置であって、
一方のシェード部材の端部に設けられる突起部と、他方のシェード部材の端部に設けられる溝部とを有し、前記一対のシェード部材が閉じ合った状態で、前記突起部が前記溝部に入り込むことを特徴とするサンシェード装置。
【請求項２】
前記一対のシェード部材は、閉じた状態でそれぞれ位置決めされるとともに、前記突起部と前記溝部との間に僅かな隙間が形成されることを特徴とする請求項１に記載のサンシェード装置。
【請求項３】
前記一対のシェード部材の各端部に、前記突起部および前記溝部のうちの一方を有する一対の把持部材がそれぞれ設けられ、
前記一対のシェード部材が閉じ合った状態で、前記把持部材同士の合わせ部が、前記突起部と前記溝部の合わせ部とずれた位置に設定されることを特徴とする請求項１または請求項２に記載のサンシェード装置。
【請求項４】
前記一対のシェード部材が閉じた状態で、前記把持部材同士の間に僅かな隙間が形成されることを特徴とする請求項３に記載のサンシェード装置。
【請求項５】
前記突起部は、弾性材料によって中空状に形成されることを特徴とする請求項１から請求項４のいずれか１項に記載のサンシェード装置。
【請求項６】
前記溝部の底部は、平面で形成されていることを特徴とする請求項１から請求項５のいずれか１項に記載のサンシェード装置。
【発明の詳細な説明】
【技術分野】
【０００１】
本発明は、車両のサンルーフに設けられたサンシェード装置に関するものである。
【背景技術】
【０００２】
一般に、車両のルーフパネルに設けられた開口部にガラスが固定されたサンルーフが知られている。サンルーフは、車室内に明るさをもたらし、乗員に解放感や爽快感を感じさせることができる。一方、サンルーフにはサンシェード装置が取り付けられ、乗員が気分に合わせてサンルーフからの光を遮蔽できるようになっている。従来、車室内側に取り付けられるサンシェード装置に関する技術がある（例えば、特許文献１参照）。
【０００３】
特許文献１に開示されたサンシェード装置は、左右に分割された一対のシェード部材を有しており、この一対のシェード部材が、サンルーフの中央部分で突き合わされた状態で、サンルーフを覆うように取り付けられている。また、サンルーフの中央部分には、セラミックプリント等による遮光部が形成されている。このように、左右のシェード部材間の隙間（突き合わせ部分）を遮光部で覆うことで、そこから光が漏れないようになっている。
【特許文献１】実開平２−１２９２０号公報（第３頁［考案の構成］〜第４頁第５行目、第２図）
【発明の開示】
【発明が解決しようとする課題】
【０００４】
しかしながら、特許文献１に開示されたサンシェード装置のように、セラミックプリントによる遮光部をサンルーフに形成しても、シェード部材間の隙間からの光漏れを充分に防止することができなかった。また、サンルーフには、一対のシェード部材が閉じ合う位置に合わせて遮光部を形成しなくてはならず、離れた部材間での位置合わせが必要になるとともに、これらの位置が合わないと光が漏れるといった問題があった。さらに、サンルーフ自身に遮光部を形成することで、サンルーフ開放時の解放感、爽快感が損なわれるといった問題もあった。
このような光漏れを防止するため、シェード部材を上下に重ね合わせる構成も考えられるが、これによると、厚みが増すという問題があった。
【０００５】
そこで、本発明では、前記した問題を解決し、シェード部材間の光漏れを確実に防止することができるサンシェード装置を提供することを課題とする。
【課題を解決するための手段】
【０００６】
前記課題を解決するため、本発明の請求項１に係る発明は、車両に設けられた開口部に並んで設けられ、互いに進退自在にスライドする一対のシェード部材を有するサンシェード装置であって、一方のシェード部材の端部に設けられる突起部と、他方のシェード部材の端部に設けられる溝部とを有し、前記一対のシェード部材が閉じ合った状態で、前記突起部が前記溝部に入り込むことを特徴とする。
【０００７】
請求項１に係る発明によれば、一対のシェード部材を互いに近接する方向に、つまり、閉じ合うようにスライドさせると、サンルーフ開口部が被覆される。このように、一対のシェード部材を閉じ合わせると、一方の端部に設けられる突起部が、他方の端部に設けられる溝部に入り込み、シェード部材間に直線状の隙間が形成されないようになっている。このため、光の侵入経路が曲折し、一対のシェード部材間からの光漏れが防止される。
【０００８】
請求項２に係る発明は、請求項１に記載のサンシェード装置において、前記一対のシェード部材は、閉じた状態でそれぞれ位置決めされるとともに、前記突起部と前記溝部との間に僅かな隙間が形成されることを特徴とする。
【０００９】
請求項２に係る発明によれば、シェード部材を強い力で閉じた場合であっても、シェード部材の端部同士が衝突することはない。そのため、一方のシェード部材が、対向するシェード部材に突き当てられて、開方向にスライドすることが防止される。
【００１０】
請求項３に係る発明は、請求項１または請求項２に記載のサンシェード装置において、前記一対のシェード部材の各端部に、前記突起部および前記溝部のうちの一方を有する一対の把持部材がそれぞれ設けられ、前記一対のシェード部材が閉じ合った状態で、前記把持部材同士の合わせ部が、前記突起部と前記溝部の合わせ部とずれた位置に設定されることを特徴とする。
【００１１】
請求項３に係る発明によれば、把持部材同士の合わせ部と、突起部と溝部との合わせ部とが、互いにずれた位置に設定されているため、光の侵入経路を二重に遮断し、一層確実に光漏れが防止される。
【００１２】
請求項４に係る発明は、請求項３に記載のサンシェード装置において、前記一対のシェード部材が閉じた状態で、前記把持部材同士の間に僅かな隙間が形成されることを特徴とする。
【００１３】
請求項４に係る発明によれば、シェード部材を強い力で閉じた場合であっても、シェード部材の端部同士および把持部材同士が衝突することはない。そのため、一方のシェード部材が、対向するシェード部材に突き当てられて、開方向にスライドすることが防止される。
【００１４】
請求項５に係る発明は、請求項１から請求項４のいずれか１項に記載のサンシェード装置において、前記突起部は、弾性材料によって中空状に形成されることを特徴とする。
【００１５】
請求項５に係る発明によれば、突起部が、弾性材料によって中空状に形成されているので、外力に応じて容易に変形する。このため、成形、組付け時における寸法誤差に起因して、シェード部材の端部に設けられる突起部または溝部の位置関係にバラツキがあった場合であっても、突起部が変形することで、突起部が溝部に容易に入り込み、確実に光漏れが防止される。また、突起部が容易に変形するようになっているため、一方のシェード部材が、対向するシェード部材に突き当てられたときの衝撃を緩和し、開方向にスライドすることが防止される。
【００１６】
請求項６に係る発明は、請求項１から請求項５のいずれか１項に記載のサンシェード装置において、前記溝部の底部は、平面で形成されていることを特徴とする。
【００１７】
請求項６に係る発明によれば、例えば、溝部の底部が曲線状に形成されると、溝部と突起部の位置関係が溝部幅方向にばらついたとき、それに合わせて両者の間隔も変化するのに対し、溝部の底部が平面に形成されていることで、突起部と溝部の位置関係に溝部幅方向のバラツキがあった場合でも、両者の間隔が一定に保持される。
【発明の効果】
【００１８】
本発明によれば、突起部が溝部に入り込むことで、光の侵入経路を曲折させることができるため、一対のシェード部材間からの光漏れを確実に防止することができる。
【発明を実施するための最良の形態】
【００１９】
次に、本発明の実施形態について、適宜図面を参照しながら詳細に説明する。図１は、本実施形態に係るサンシェード装置が取り付けられた車両の斜視図である。
【００２０】
図１に示すように、本実施形態に係るサンシェード装置１は、ＲＶ（レクリエーショナル・ビークル）車等のルーフパネル２のガラスサンルーフ２１の内側に設けられる。
【００２１】
まず、サンシェード装置１を説明する前に、車両Ｃの車体上部構造について説明する。図１に示すように、車両Ｃのルーフパネル２には、車両前後方向に亘って大きな開口部２０（サンルーフ開口部）が形成されており、この開口部２０にガラスサンルーフ２１が固定されている。
【００２２】
図２は、車両の平面図である。図２に示すように、車体上部には、左右両端にルーフサイドレール２２Ｌ，２２Ｒ（以下、適宜まとめて符号２２とする）が設けられており、このルーフサイドレール２２Ｌ，２２Ｒには、車両前方側から、フロントガラスＦｇの上縁に沿う前部クロスメンバ２３、開口部２０の前縁に沿う前部ガイドフレーム２４、開口部２０を横切る第１、第２中間ガイドフレーム２５，２６、開口部２０の後縁に沿う後部ガイドフレーム２７、リヤガラスＲｇの上縁に沿う後部クロスメンバ２８が、車幅方向に沿って配設されて、互いに接続されている。そして、車両前後方向中間部に位置する前部ガイドフレーム２４、第１、第２中間ガイドフレーム２５，２６、後部ガイドフレーム２７には、その左右両端寄りに、車両前後方向に延びる補強フレーム２９Ｌ，２９Ｒが設けられている。このように、各フレームが車両前後方向および車幅方向に沿って複数組み合わせて設けられることで、車体上部の剛性が確保されている。
【００２３】
図３は、図２のＩＩＩ−ＩＩＩ線断面図であり、図４は、図３のＩＶ部分の拡大図である。
図３に示すように、ルーフサイドレール２２は、アウタメンバ２２ａとインナメンバ２２ｂとを閉断面に溶接して車幅方向両端に構成される。このように、車体上部構造は、左右対称に形成されているため、以下、右側部分を参照しながら説明する。図４に示すように、アウタメンバ２２ａの車幅方向内端側には、ルーフパネル２の側縁が溶接され、このルーフパネル２の下面には、断面略逆ハット状の補強フレーム２９Ｒの上面が溶接されている。また、インナメンバ２２ｂの下面側にはガセット２２ｃが配設されており、このガセット２２ｃとインナメンバ２２ｂの車幅方向内端側には、両者に挟まれるように、第１中間ガイドフレーム２５の端部が溶接されている。なお、図４では示されないが、ガセット２２ｃとインナメンバ２２ｂとの間には、前記第１中間ガイドフレーム２５の他、同様に、前部ガイドフレーム２４、第２中間ガイドフレーム２６、後部ガイドフレーム２７の端部も溶接されている。
【００２４】
また、ルーフパネル２からルーフサイドレール２２Ｒのインナメンバ２２ｂにかけてその下面側は、ルーフライニング３０で覆われて車室内側が装飾されている。そして、ルーフサイドレール２２のアウタメンバ２２ａとルーフパネル２の側縁との間には、モール３１が装着されるとともに、ルーフパネル２とガラスサンルーフ２１の周縁との間にダムラバー３２が装着されており（図２参照）、各部品の継目をシールするようになっている。
【００２５】
図５は、図２のＶ−Ｖ線断面図である。
図５に示すように、前部ガイドフレーム２４、第１、第２中間ガイドフレーム２５，２６、後部ガイドフレーム２７は、断面Ｈ型の部材であり、それらの車両前後方向両側がそれぞれガイド溝Ｄ１，Ｄ２となっている。ルーフパネル２の開口部２０は、前部ガイドフレーム２４、第１、第２中間ガイドフレーム２５，２６、後部ガイドフレーム２７と、によって、前、中、後の３つの領域に区画されており、各領域に、１つのサンシェード装置１が配設されるようになっている。
【００２６】
図２に示すように、サンシェード装置１は、合成樹脂の板材から構成され、かつ、車体中心線Ｌを挟んで左右対称に設けられる一対のシェード部材１１Ｌ，１１Ｒ（以下適宜まとめて符号１１とする。）を有している。このシェード部材１１Ｌ，１１Ｒは、図５に示す前記ガイド溝Ｄ１，Ｄ２に係合して、車幅方向（図５の紙面垂直方向）にスライド自在になっている。シェード部材１１Ｌ，１１Ｒを、それぞれ閉じ合うようにスライドさせることで、ガラスサンルーフ２１が被覆される。また、図２に示すように、シェード部材１１Ｌ，１１Ｒは、車体中心線Ｌ上に重なるように、ガイド溝Ｄ１，Ｄ２に配設されるストッパＳにより、中央方向へのスライドが規制され、閉状態の位置決めがされる。ちなみに、図示を省略するが、ガイド溝Ｄ１，Ｄ２側の側面には、切欠が形成されており、シェード部材１１側から突出するように付勢されたストッパピンが係合して、閉位置および開位置を固定するようになっている。なお、本実施形態では、シェード部材１１Ｌ，１１Ｒをスライド自在にするためのガイド溝Ｄ１，Ｄ２が形成された前部ガイドフレーム２４、第１、第２中間ガイドフレーム２５，２６、後部ガイドフレーム２７もそれぞれサンシェード装置１を構成する要素である。
【００２７】
図６は、図３のＶＩ部分の拡大図である。
図６に示すように、シェード部材１１Ｌ，１１Ｒには、互いに対向する車幅方向内端部１１ａに沿って把持部材１２Ｌ，１２Ｒ（以下、適宜まとめて符号１２とする。）が設けられ、把持部材１２Ｌ，１２Ｒの各先端部１２ｂには、溝部１４と突起部１３が設けられている。
【００２８】
把持部材１２は、上側部材と下側部材を組み合わせて構成される部品である。把持部材１２は、その基端部１２ａ側で、シェード部材１１の内端部１１ａを上下方向から挟持している。また、その先端部１２ｂ側では、上側部材と下側部材が対向するように屈曲して、車幅方向に開口する開口部１２ｃを形成している。先端部１２ｂの内側には、上側部材側から下向きに突出する隔壁１２ｄが形成されている。そして、把持部材１２の中間部１２ｅは、下面側が上向きに凹み、指が掛けられるようになっている。
【００２９】
突起部１３は、例えば、合成ゴム等からなる弾性材料から中空状に形成されており、外力を受けると変形しやすくなっている。突起部１３は、右側の把持部材１２Ｒの先端部１２ｂの内側に嵌め込まれ、その開口部１２ｃから先端が突出している。また、溝部１４は、左側の把持部材１２Ｌの先端部１２ｂの内側に嵌め込まれ、前記突起部１３に対向する部分が凹むように形成されている。なお、溝部１４の底部にあたる隔壁１２ｄは、平面で形成されており、溝部１４と突起部１３との位置関係が上下方向にずれた場合であっても、溝部１４と突起部１３の間の間隔を変化させないようになっている。
【００３０】
シェード部材１１Ｌ，１１Ｒが閉じ合った状態で位置決めされたとき、突起部１３が溝部１４に入り込むとともに、突起部１３と溝部１４の間には、僅かな隙間Ａ１が形成されるようになっている。隙間Ａ１は、光が漏れない程度の間隔であって、例えば、３ｍｍ前後である。このように、突起部１３が溝部１４に入り込むことで、光の侵入経路を曲折させ、シェード部材１１Ｌ，１１Ｒ間の隙間からの光漏れを防止する。また、突起部１３と溝部１４の間に隙間Ａ１を形成することで、シェード部材１１Ｌ，１１Ｒを強い力で閉じた場合であっても、突起部１３と溝部１４が衝突することはない。そのため、一方のシェード部材１１Ｌが、対向するシェード部材１１Ｒに突き当てられて、開方向にスライドすることが防止される。
【００３１】
また、シェード部材１１Ｌ，１１Ｒが閉じ合った状態で位置決めされたとき、把持部材１２Ｌ，１２Ｒの間に、僅かな隙間Ａ２が形成されるようになっている。隙間Ａ２は、例えば、０．５〜２．５ｃｍ位である。そして、隙間Ａ２の位置（合わせ部）と、隙間Ａ１の位置（合わせ部）は、互いに車幅方向にずれた位置に設定されるようになっている。このように設定することで、光の侵入経路が二重に遮断される。
【００３２】
このように構成されるサンシェード装置１の動作について、説明する。
図６に示す把持部材１２の中間部１２ｅに指を掛けて、各シェード部材１１を左右方向に引くと、シェード部材１１がガイド溝Ｄ１，Ｄ２（図５参照）に案内されてスライドする。これにより、ガラスサンルーフ２１が開かれる。乗員は、図２に示す任意のシェード部材１１を開くことで、ガラスサンルーフ２１から車室内の任意のシートに日光を取り入れ、解放感、爽快感を得ることができる。また、すべてのシェード部材１１を開放すると、大面積の採光部が形成されるので、車室の解放感を効果的に高めることができる。
【００３３】
また、一対のシェード部材１１を、車幅方向中央に向けて押すと、各シェード部材１１は、ガイド溝Ｄ１，Ｄ２に案内されてスライドし、図２に示すストッパＳに当接することで位置決めされる。このように、シェード部材１１を閉じ合わせることで、ガラスサンルーフ２１が被覆され、日光を遮蔽する。
【００３４】
以上によれば、本実施形態において以下の効果を得ることができる。
突起部１３が溝部１４に入り込むことで、光の侵入経路を曲折させることができる。そのため、一対のシェード部材１１間からの光漏れを確実に防止することができる。また、シェード部材１１を閉じ合わせたときであっても、突起部１３と溝部１４の間、および、把持部材１２，１２間には、隙間Ａ１，Ａ２が形成され、直接当接することがない。そのため、一方のシェード部材１１Ｌ（１１Ｒ）が、他方のシェード部材１１Ｒ（１１Ｌ）に衝突されて、開方向にスライドすることを防止することができる。
【００３５】
さらに、隙間Ａ１と隙間Ａ２が車幅方向にずれているため、光の侵入経路が二重に遮断される。そのため、一対のシェード部材１１間の隙間からの光漏れを一層確実に防止することができる。
【００３６】
そして、突起部１３や溝部１４において成形や組付けによる寸法誤差があった場合でも、突起部１３が変形することで、溝部１４に容易に入り込むことができるため、光漏れを確実に防止することができる。また、一方のシェード部材１１Ｌ（１１Ｒ）が対向するシェード部材１１Ｒ（１１Ｌ）に突き当てられた場合であっても、突起部１３が変形することでその衝撃を緩和することができるため、各シェード部材１１の開方向へのスライドを防止することができる。
【００３７】
また、溝部１４の底部にあたる隔壁１２ｄが平面に形成されているため、突起部１３と溝部１４の位置関係にバラツキがあった場合でも、両者の間隔を安定して確保することができる。
【００３８】
以上、本発明の実施形態について説明したが、本発明は前記実施形態に限定されるものではなく、様々な形態に変形して実施することができる。
例えば、前記実施形態では、サンシェード装置１は、大きな開口部２０を３つの領域に分けてそれぞれ配置するものであったが、小さい開口部に１つ配置するものであってもよい。
【００３９】
また、シェード部材が車両左右方向に開くタイプのサンシェード装置について説明したが、車両前後方向に開くタイプのサンシェード装置であってもよい。
【図面の簡単な説明】
【００４０】
【図１】本実施形態に係るサンシェード装置が取り付けられた車両の斜視図である。
【図２】車両の平面図である。
【図３】図２のＩＩＩ−ＩＩＩ線断面図である。
【図４】図３のＩＶ部分の拡大図である。
【図５】図２のＶ−Ｖ線断面図である。
【図６】図３のＶＩ部分の拡大図である。
【符号の説明】
【００４１】
１      サンシェード装置
２      ルーフパネル
１１，１１Ｌ，１１Ｒ  シェード部材
１２，１２Ｌ，１２Ｒ  把持部材
１３    突起部
１４    溝部
２０    開口部
２１    ガラスサンルーフ
Ａ１    隙間
Ａ２    隙間
Ｃ      車両
【図１】
2006264353.tif 000003
【図２】
2006264353.tif 000004
【図３】
2006264353.tif 000005
【図４】
2006264353.tif 000006
【図５】
2006264353.tif 000007
【図６】
2006264353.tif 000008